(57)【要約】【課題】台輪を使用しない直置きタイプのアイランド型またはペニンシュラ型のシンクキャビネットにおいて、強度の向上を図る。【解決手段】上面開口部及び前面開口部を有するキャビネット本体１０と、このキャビネット本体１０の前面開口部における上段部及び下段部に差し込まれる上部引き出し２１及び下部引き出し２２と、キャビネット本体１０の後面に配設された棚部３０と、キャビネット本体１０の奥側下隅部の配管スペースＰＳを収納空間から区画する区画ユニット４０とを備えており、キャビネット本体１０は、配管スペースＰＳの底面が開放されている。棚部３０は、背板１２を両側板１１、１１の後端縁よりも前方側に配置することによって背板１２の外面側に確保された、背板１２及び両側板１１、１１によって囲われたスペースに配設されており、上部棚板３１、下部棚板３２及び底板３３が両側板１１、１１の上部、中間部及び下端部に連結されている。【選択図】        図３
2016137100.tif 000002
【特許請求の範囲】
【請求項１】
一方の側板から他方の側板にわたって、背板の内面に隣接して形成された配管スペースの底面が開放されている、台輪を使用しない直置きタイプのアイランド型またはペニンシュラ型のシンクキャビネットにおいて、
前記背板を前記両側板の後端縁よりも前方側に配置することによって、前記背板の外面側に、前記背板及び前記両側板によって囲われたスペースを確保し、前記背板の外面側に確保されたスペースに、前記両側板に連結された底板を有する棚部を形成したことを特徴とするシンクキャビネット。
【発明の詳細な説明】
【技術分野】
【０００１】
この発明は、システムキッチンにおいてシンクの下に設置されるシンクキャビネットに関する。
【背景技術】
【０００２】
この種のシンクキャビネットには、床面に設置した台輪の上に載置するタイプのシンクキャビネットと、台輪を使用せずに、床面に直接設置する直置きタイプのシンクキャビネットがある。
【０００３】
台輪を使用するタイプのシンクキャビネットは、床面から突出している給水管、給湯管及び排水管の立上部が台輪の高さよりも低く、台輪の上にシンクキャビネットを載置する際、給排水管の立上部が障害とはならないので、キャビネットの底全面に底板が設けられている。
【０００４】
これに対して、図６に示すような、台輪を使用しない直置きタイプのシンクキャビネット５０は、これを設置する際、床面から突出している給水管、給湯管及び排水管ＤＰの立上部が障害とならないように、一方の側板５１から他方の側板５１にわたって、背板５２の内面に隣接して配設された区画ユニット５４によって囲われた配管スペースＰＳの前方側にだけ底板５３が設けられており、配管スペースＰＳの底面は開放されている。
【先行技術文献】
【特許文献】
【０００５】
【特許文献１】特開２０１０−１６６９６７号公報
【発明の概要】
【発明が解決しようとする課題】
【０００６】
上述したような直置きタイプのシンクキャビネット５０では、キャビネット後部の配管スペースＰＳ部分に、全幅にわたって底板が設けられていないので、キャビネットの底全面に底板が設けられている台輪を使用するタイプのシンクキャビネットに比べて強度が低下するといった問題がある。
【０００７】
特に、アイランド型またはペニンシュラ型のシンクキャビネットは、壁付け型のシンクキャビネットとは異なり、キャビネットの後面が壁面に支持されずにダイニング側に開放されているので、アイランド型またはペニンシュラ型で直置きタイプのシンクキャビネットは強度低下の影響を受けやすい。
【０００８】
そこで、この発明は、台輪を使用しない直置きタイプのアイランド型またはペニンシュラ型のシンクキャビネットにおいて、強度の向上を図ることを目的としている。
【課題を解決するための手段】
【０００９】
上記の課題を解決するため、請求項１に係る発明は、一方の側板から他方の側板にわたって、背板の内面に隣接して形成された配管スペースの底面が開放されている、台輪を使用しない直置きタイプのアイランド型またはペニンシュラ型のシンクキャビネットにおいて、前記背板を前記両側板の後端縁よりも前方側に配置することによって、前記背板の外面側に、前記背板及び前記両側板によって囲われたスペースを確保し、前記背板の外面側に確保されたスペースに、前記両側板に連結された底板を有する棚部を形成したことを特徴とするシンクキャビネットを提供するものである。
【発明の効果】
【００１０】
以上のように、請求項１に係る発明のシンクキャビネットは、一方の側板から他方の側板にわたって、背板の内面に隣接して形成された配管スペースの底面が開放されているが、背板の外面側に形成された棚部は、両側板に連結された底板を有しているので、両側板の後端部が底板によって連結されていない従来の直置きタイプのアイランド型またはペニンシュラ型のシンクキャビネットに比べて強度が向上する。
【図面の簡単な説明】
【００１１】
【図１】この発明に係るシンクキャビネットの一実施形態を示す平面図である。
【図２】同上のシンクキャビネットを示す正面図である。
【図３】図２のＸ−Ｘ線に沿った拡大断面図である。
【図４】他の実施形態であるシンクキャビネットを示す平面図である。
【図５】図４のＹ−Ｙ線に沿った断面図である。
【図６】従来のシンクキャビネットを示す断面図である。
【発明を実施するための形態】
【００１２】
以下、実施の形態について図面を参照して説明する。図１〜図３は、ダイニングキッチンを台所側と居間側とに区画するように配設されるアイランド型またはペニンシュラ型のシステムキッチンに使用される、台輪を使用しない直置きタイプのシンクキャビネット１を示している。
【００１３】
このシンクキャビネット１は、同図に示すように、上面開口部及び前面開口部を有するキャビネット本体１０と、このキャビネット本体１０の前面開口部における上段部に差し込まれる上部引き出し２１と、キャビネット本体１０の前面開口部における下段部に差し込まれる下部引き出し２２と、キャビネット本体１０の後面に配設された棚部３０と、キャビネット本体１０の奥側下隅部の配管スペースＰＳを収納空間から区画する区画ユニット４０とを備えており、キャビネット本体１０の上面開口部にシンクＳが嵌り込んだ状態で、シンクＳを有するカウンター（図示せず）が固定設置されるようになっている。シンクＳの下面には、ゴミ収納器等の排水ユニットＤＵが取り付けられ、この排水ユニットＤＵに接続されたフレキシブルパイプＦＰが区画ユニット４０を貫通して配管スペースＰＳ内において、設置床から立ち上がっている排水管ＤＰに接続されるようになっている。
【００１４】
前記キャビネット本体１０は、左右一対の側板１１、１１と、両側板１１、１１を背面側で連結する背板１２と、シンクＳの正面部分を隠蔽するように、側板１１、１１の上部を前面側で連結する幕板１３と、幕板１３の前面に取り付けられた化粧板１４と、左右の側板１１、１１を下端部で連結する底板１５とを備えており、底板１５の奥行きを短くすることによって、奥側下隅部の配管スペースＰＳを底面側に開放する開口が形成されている。
【００１５】
前記棚部３０は、背板１２を両側板１１、１１の後端縁よりも前方側に配置することによって背板１２の外面側に確保された、背板１２及び両側板１１、１１によって囲われたスペースに配設されており、背板１２の外面から両側板１１、１１の後端縁までの奥行きを有する上部棚板３１、下部棚板３２及び底板３３が両側板１１、１１の上部、中間部及び下端部にそれぞれ連結されている。
【００１６】
前記区画ユニット４０は、図３に示すように、左右一対の側板１１に取り付けられたダボＤに両端部が支持された上面区画板４１と、底板１５の後端部に形成された溝に下端部が嵌め込まれる前面区画板４２と、上面区画板４１の前端部と前面区画板４２の上端部とを取り外し可能に連結するＡＢＳ樹脂等の合成樹脂によって形成された連結部材４３とから構成されており、キャビネット本体１０に対する付け外しを容易に行うことができるようになっている。
【００１７】
以上のように、このシンクキャビネット１は、一方の側板１１から他方の側板１１にわたって、背板１２の内面に隣接して形成された配管スペースＰＳの底面が開放されているが、背板１２の外面側に形成された棚部３０は、両側板１１、１１の下端部に連結された底板３３を有しているので、両側板の後端部が底板によって連結されていない従来の直置きタイプのアイランド型またはペニンシュラ型のシンクキャビネットに比べて強度が向上する。
【００１８】
なお、上述した各実施形態では、棚部３０を構成している上部棚板３１、下部棚板３２及び底板３３は、背板１２の外面から両側板１１、１１の後端縁までの奥行きを有しているが、これに限定されるものではなく、例えば、図４及び図５に示すように、側板１１、１１の後端縁よりも後側に張り出すような下部棚板３２ａを採用することも可能である。
【００１９】
また、上述した各実施形態では、引き出し収納タイプのシンクキャビネット１、２について説明したが、これに限定されるものではなく、収納部が開き戸タイプのシンクキャビネットについても、本発明を適用することができることはいうまでもない。
【産業上の利用可能性】
【００２０】
本発明は、アイランド型またはペニンシュラ型のシステムキッチンに組み込まれる、台輪を使用しない直置きタイプのシンクキャビネットに利用することができる。
【符号の説明】
【００２１】
１、２  シンクキャビネット
１０  キャビネット本体
１１  側板
１２  背板
１３  幕板
１４  化粧板
１５  底板
２１  上部引き出し
２２  下部引き出し
３０  棚部
３１  上部棚板
３２、３２ａ  下部棚板
３３  底板
４０  区画ユニット
４１  上面区画板
４２  前面区画板
４３  連結部材
Ｄ  ダボ
ＤＵ  排水ユニット
ＤＰ  排水管
ＦＰ  フレキシブルパイプ
Ｓ  シンク
ＰＳ  配管スペース
【図１】
2016137100.tif 000003
【図２】
2016137100.tif 000004
【図３】
2016137100.tif 000005
【図４】
2016137100.tif 000006
【図５】
2016137100.tif 000007
【図６】
2016137100.tif 000008